(57)【要約】【課題】熱源から熱を受ける受熱部材の放熱構造を備えた例えば、液晶テレビジョンのような表示装置において、バックライトシャーシ（受熱部材）の補強部材を介してバックライト（熱源）が発する熱を、バックライトの光の反射効率を低下させることなく、放熱することが出来る放熱構造及び表示装置を提供する。【解決手段】複数本のバックライト（熱源）を収容支持する筺体１２ａ（受熱部材）に取り付けられた補強部材９と伝熱部材１０が接触するように設け、伝熱部材１０を用い、筺体１２ａの熱を補強部材９に伝導する、又は補強部材９の熱を空気中に放散する。【選択図】図５
2009224207.tif 000002
【特許請求の範囲】
【請求項１】
熱源から熱を受ける受熱部材の放熱構造において、
前記受熱部材を補強する補強部材と、
該補強部材に接触する伝熱部材と
を備えていることを特徴とする放熱構造。
【請求項２】
前記補強部材は一面に溝部が形成された板材であって、前記一面が前記受熱部材に対向するように取り付けられており、
前記伝熱部材は前記補強部材の溝部内に設けられていることを特徴とする請求項１に記載の放熱構造。
【請求項３】
前記補強部材は一面に溝部が形成された板材であって、前記一面が前記受熱部材に対向するように取り付けられており、
前記伝熱部材は前記補強部材の溝部内に設けられ、前記受熱部材と接触していることを特徴とする請求項１に記載の放熱構造。
【請求項４】
前記伝熱部材は前記補強部材の溝部に倣う外郭形状を有する筒体であることを特徴とする請求項２又は請求項３に記載の放熱構造。
【請求項５】
前記補強部材は一面に溝部が形成された板材であって、前記一面が前記受熱部材に対向するように取り付けられており、
前記伝熱部材はシート状であり、前記受熱部材及び補強部材の間に介在していることを特徴とする請求項１に記載の放熱構造。
【請求項６】
前記伝熱部材は、前記補強部材の前記受熱部材と接触しない部分の一部又は全部を被覆するように設けられていることを特徴とする請求項１に記載の放熱構造。
【請求項７】
表示パネルと、該表示パネルを照射する光源と、該光源を保持する保持部材と、該保持部材の熱を放熱する放熱構造とを備える表示装置において、
前記放熱構造は、前記光源を熱源とし、前記保持部材を受熱部材とする請求項１から請求項６のいずれか一つに記載の放熱構造であることを特徴とする表示装置。
【発明の詳細な説明】
【技術分野】
【０００１】
本発明は、熱源から熱を受ける受熱部材の放熱構造及び該放熱構造を備えた表示装置に関する。
【背景技術】
【０００２】
近年、薄型であることを特長とする液晶テレビジョン、プラズマテレビジョンなどの表示装置が広く普及している。このような表示装置に対しては、該表示装置を壁に掛けて使用するいわゆる壁掛型とすることによって前記表示装置により取られるスペースをさらに抑えるための軽量化が進んでいる。
【０００３】
例えば、複数のバックライトが装着されるバックライトシャーシの厚みを薄くすると共に、厚みが薄くなることによるバックライトシャーシの撓みを防止する補強部材を用いることによる軽量化等の対策が実施されている。
【０００４】
一方、画像を大画面にて視聴したいというユーザの要望に応えるための大画面化も共に進んでいる。しかし、大画面化の場合、使用されるパネル、シャーシ等が大型となり、電子部品の数及び大きさも共に増えるので、前記電子部品に係る多数の電子素子、駆動回路、制御回路、電源回路等からの熱の発生も増加するので、これらが発する熱の放熱性を高める必要が生じている。
【０００５】
このような放熱性の向上に対して、特許文献１では、いわゆる直下形バックライトにおいてバックライト同士の間に複数の吸熱部材を配置し、前記吸熱部材の一端を、前記バックライトの光を反射する反射板の後側に延ばして複数の吸熱部材同士を接続することにより、バックライトが発する熱を吸熱部材で吸収して前記反射板の後側に伝導して空気中に放散するバックライト装置及び液晶表示装置を開示している。
【特許文献１】特開２００５−３１０５９８号公報
【発明の開示】
【発明が解決しようとする課題】
【０００６】
しかしながら、特許文献１のバックライト装置及び液晶表示装置は、バックライト同士の間に複数の吸熱部材を配置するので、前記反射板による光の反射効率が低下する問題がある。また、前記吸熱部材の一端を反射板の後側に延ばして複数の吸熱部材同士を接続した構成を有するので、装置内において前記反射板の後側のスペースの一部が前記吸熱部材により占められ、薄型化に障害をもたらす虞がある。
【０００７】
本発明は斯かる事情に鑑みてなされたものであり、その目的とするところは、熱源の熱を受ける受熱部材に取り付けられた補強部材と接触する伝熱部材を備え、前記受熱部材の熱を前記補強部材に伝導する、又は該補強部材の熱を空気中に放散することにより、例えば、バックライトシャーシの補強部材を介してバックライト（熱源）が発する熱を、バックライトの光の反射効率を低下させることなく、放熱することが出来る放熱構造及び表示装置を提供することにある。
【０００８】
また、本発明の他の目的は、受熱部材側の一面に溝部が形成された前記補強部材の溝部内に前記伝熱部材を設けることにより、前記補強部材の強度の強化を図ると共に、溝部内のデッドスペースを有効活用するので余計にスペースが占められることなく熱源の熱を放熱することが出来る放熱構造及び表示装置を提供することにある。
【課題を解決するための手段】
【０００９】
本発明に係る放熱構造は、熱源から熱を受ける受熱部材の放熱構造において、前記受熱部材を補強する補強部材と、該補強部材に接触する伝熱部材とを備えていることを特徴とする。
【００１０】
本発明にあっては、前記伝熱部材が、前記受熱部材を補強する前記補強部材と接触するように設け、前記伝熱部材を介して前記受熱部材の熱を前記補強部材に伝導し、又は前記伝熱部材を介して前記補強部材の熱を空気中に放散する。
【００１１】
本発明に係る放熱構造は、前記補強部材は一面に溝部が形成された板材であって、前記一面が前記受熱部材に対向するように取り付けられており、前記伝熱部材は前記補強部材の溝部内に設けられていることを特徴とする。
【００１２】
本発明にあっては、前記補強部材の一面に溝部を形成し、前記補強部材の強度を高める。また、前記溝部内には前記伝熱部材を設け、前記伝熱部材は前記補強部材から熱を受け、前記溝部内の空気中に放散させる。
【００１３】
本発明に係る放熱構造は、前記補強部材は一面に溝部が形成された板材であって、前記一面が前記受熱部材に対向するように取り付けられており、前記伝熱部材は前記補強部材の溝部内に設けられ、前記受熱部材と接触していることを特徴とする。
【００１４】
本発明にあっては、前記補強部材の一面に溝部を形成し、前記補強部材の軽量化を図りながら強度を高める。また、前記溝部内には前記受熱部材と接触するように前記伝熱部材を設け、前記伝熱部材は前記受熱部材から熱を受け、前記補強部材に伝導する、又は前記溝部内の空気中に放散させる。
【００１５】
本発明に係る放熱構造は、前記伝熱部材は前記補強部材の溝部に倣う外郭形状を有する筒体であることを特徴とする。
【００１６】
本発明にあっては、前記伝熱部材は前記補強部材の溝部に倣う外郭形状を有し、前記溝部内に設けられた場合は前記溝部（補強部材）との接触面積を最大にし、前記受熱部材の熱の前記補強部材への伝導量、又は前記補強部材の熱の前記溝部内の空気中への放散量を増加させる。また、前記伝熱部材は筒体であり、前記受熱部材から受けた熱、又は前記補強部材から受けた熱が、前記伝熱部材の内側の空気中に放散される。
【００１７】
本発明に係る放熱構造は、前記補強部材は一面に溝部が形成された板材であって、前記一面が前記受熱部材に対向するように取り付けられており、前記伝熱部材はシート状であり、前記受熱部材及び補強部材の間に介在していることを特徴とする。
【００１８】
本発明にあっては、前記受熱部材側の一面に溝部が形成された前記補強部材を、シート状の伝熱部材を挟んで前記受熱部材に取り付ける。前記伝熱部材は前記受熱部からの熱を受け、一部は前記補強部材に伝導され、他部は前記溝部と前記伝熱部材との間に形成された隙間の空気中に放散される。
【００１９】
本発明に係る放熱構造は、前記伝熱部材は、前記補強部材の前記受熱部材と接触しない部分の一部又は全部を被覆するように設けられていることを特徴とする。
【００２０】
本発明にあっては、前記補強部材の前記受熱部材と接触しない部分の一部又は全部を、前記伝熱部材が被覆し、前記受熱部材の熱は前記補強部材に伝導され、前記受熱部材が前記補強部材から熱を受け、空気中に放散する。
【００２１】
本発明に係る表示装置は、表示パネルと、該表示パネルを照射する光源と、該光源を保持する保持部材と、該保持部材の熱を放熱する放熱構造とを備える表示装置において、前記放熱構造は、前記光源を熱源とし、前記保持部材を受熱部材とする前述の本発明のいずれか一つの放熱構造であることを特徴とする。
【００２２】
本発明にあっては、前記表示パネルを照射する前記光源からの熱を前記保持部材が受ける。前記保持部材が受けた熱は、伝熱部材を介して前記保持部材を補強する補強部材に伝導されるか、又は直接該補強部材に伝導され、伝熱部材を介して空気中に放散される。
【発明の効果】
【００２３】
本発明によれば、前記受熱部材に取り付けられた補強部材と接触する伝熱部材を備え、前記受熱部材の熱を前記補強部材に伝導する、又は該補強部材の熱を空気中に放散するので、例えば、バックライトシャーシの補強部材を介してバックライト（熱源）が発する熱を放熱することにより、バックライト等の光の反射効率を低下させることなく、バックライトの熱を放熱することが出来る。
【００２４】
本発明によれば、前記受熱部材側の一面に溝部が形成された前記補強部材の前記溝部内に前記伝熱部材が設けられるので、前記補強部材の強度を強化することが出来ると共に、前記補強部材の溝部内のデッドスペースを有効活用し、余計にスペースを占められることなく熱源の熱を放熱することが出来る。
【発明を実施するための最良の形態】
【００２５】
（実施の形態１）
以下、本発明に係る放熱構造、及び該放熱構造を備えた表示装置として液晶テレビジョンを例に挙げて、図面に基づいて詳述する。図１は本発明に係る液晶テレビジョンの後側のカバーを除去した状態における斜視図、図２は拡大平面断面図、図３は一部を取り外して倒した状態における斜視図である。
【００２６】
図示した液晶テレビジョンは、画像が表示される表示部１と、表示部１の裏側に設けられた回路部８と、表示部１を起立状態で支持するスタンド（図示せず）とを備えている。
【００２７】
表示部１は、扁平な略直方体をなしており、前側にパネル部１１を有し、後側にパネル部１１へ光を照射するバックライト部１２を有している。
【００２８】
パネル部１１は、前側に表示面を有し略直方体をなすパネル１１ａ、及びパネル１１ａの後側に配置され、拡散板、プリズム等を含む光学シート１１ｂを備える。バックライト部１２は、光学シート１１ｂの後側に縦に並置され、光学シート１１ｂ側へ光を照射する複数本のバックライト（熱源）と、該バックライトを収容支持する筺体１２ａ（受熱部材）とを備える。前記バックライトは両端部に電極を有する冷陰極管であり、夫々のバックライトの両端部の電極にインバータ回路基板２，２が接続され、パルス幅変調信号により明るさが制御されるように構成されている。
【００２９】
筺体１２ａは金属板から成形された略直方体形状の枠体であり、後側には後壁１２ｂを有している。後壁１２ｂの外側面には、横方向中間の二箇所に２つの補強部材９，９が適宜隔てて横に並置されている。
【００３０】
補強部材９，９は、縦方向を長手方向とする矩形の金属板から形成されており、筺体１２ａの後壁１２ｂの上端部から下端部にかけて取り付けられている。また、補強部材９，９は、後壁１２ｂ側の面に、自らの強度を高めるための樋形状の溝部９１，９１を縦方向に形成しており、溝部９１，９１の幅方向の両縁には矩形の鍔部９２，９２を後壁１２ｂの面方向に沿って延設している。補強部材９，９は筺体１２ａの後壁１２ｂにビス止めされ、後壁１２ｂの撓みを防止している。また、補強部材９，９の溝部９１，９１には、補強部材９，９の長さ方向に沿って複数の貫通孔を設け、該貫通孔にボス９３，９３，９３，…を嵌め込み、ボス９３，９３，９３，…にピンＰ等を差し込んで液晶テレビジョンを壁に掛けることが出来るように構成されている。補強部材９，９の溝部９１，９１の内側には伝熱部材１０，１０が配設されている。
【００３１】
図４は実施の形態１の液晶テレビジョンにおいて、補強部材９の溝部９１の内側に伝熱部材１０が配設された一例を示す例示図であり、図５は補強部材９の近傍の横断面を拡大して示す模式図である。上述したように、補強部材９は、鍔部９２，９２が筺体１２ａの後壁１２ｂと接触するように、後壁１２ｂに取り付けられる。補強部材９の溝部９１の内側には伝熱部材１０が嵌め込まれ、伝熱部材１０の一部が後壁１２ｂと接触している。伝熱部材１０は３つの部分に分割され、ボス９３，９３を挟んで嵌め込まれている。伝熱部材１０は、例えば銅、アルミニウム等の高い熱伝導性を有する材料からなる。また、伝熱部材１０は溝部９１，９１に倣う外郭形状を有する四角筒体であり、長手方向に貫通する横断面視で矩形の空洞１００Ａを内側に有している。つまり、伝熱部材１０の４つの外側面のうち３つの外側面は溝部９１，９１の内側（又は補強部材９，９）と密接し、残り１つの外側面は筺体１２ａの後壁１２ｂと密接しており、伝熱部材１０の内側の空洞１００Ａには空気が流れるように構成されている。補強部材９の溝部９１の内側に伝熱部材１０を配設するにおいては、後壁１２ｂに補強部材９を取り付ける前に、予め伝熱部材１０を補強部材９の溝部９１の内側に嵌め込んだ後、後壁１２ｂに補強部材９を取り付けるようにしても良く、補強部材９を後壁１２ｂに取り付けた後、補強部材９の長手方向の両端側から伝熱部材１０を差し込むようにしても良い。なお、上記においては、伝熱部材１０は３つの部分に分割され、ボス９３，９３を挟んで嵌め込まれている場合を例として説明したが、これに限るものでない。例えば、ボス９３に対応する貫通孔が設けられた、分割されていない伝熱部材１０にしても良い。つまり、補強部材９の前記貫通孔の位置に伝熱部材１０の前記貫通孔の位置を整合させた状態で、伝熱部材１０を補強部材９の溝部９１の内側に嵌め込んだ後、補強部材９の前記貫通孔及び伝熱部材１０の前記貫通孔を貫通するようにボス９３を嵌め込み、その後、後壁１２ｂに補強部材９を取り付けるようになる。
【００３２】
回路部８は、バックライト部１２を駆動するインバータ回路基板２，２と、パネル部１１の駆動及び制御を行う制御回路基板３と、パネル部１１に表示する映像を処理させるメイン回路基板４及びサブ回路基板５と、メイン回路基板４及びサブ回路基板５に電圧を供給する電源回路基板６と、メイン回路基板４，サブ回路基板５及び電源回路基板６が装着される基板装着板７とを備えており、これらは表示部１の後壁１２ｂに取り付けられている。インバータ回路基板２，２、制御回路基板３、メイン回路基板４、サブ回路基板５及び電源回路基板６の夫々の一面には複数の電子部品が実装されている。
【００３３】
後壁１２ｂの両側部にはインバータ回路基板２，２が小螺子により取付けられており、後壁１２ｂの下部であって横方向中央部には制御回路基板３が小螺子により取付けられている。また、補強部材９，９の後側に、メイン回路基板４，サブ回路基板５及び電源回路基板６が後壁１２ｂと対向するように基板装着板７を配置してある。
【００３４】
以下、本発明の実施の形態１に係る放熱構造及び表示装置における放熱方法を、液晶テレビジョンの光源たるバックライトが熱を発する場合を例として説明する。図６は実施の形態１の液晶テレビジョンにおいて、バックライトが発する熱の放熱を、伝熱部材１０を中心に示す説明図である。図中、外部から伝熱部材１０に伝導される熱を太い矢印にて表示し、伝熱部材１０から外部に伝導される熱を細い矢印にて表示している。
【００３５】
バックライトが熱を発した場合、該熱はバックライト部１２の筺体１２ａ（後壁１２ｂ）に伝導される。筺体１２ａに伝導された熱は後壁１２ｂを介して、後壁１２ｂの接触している伝熱部材１０及び補強部材９の鍔部９２，９２に伝導される。伝熱部材１０に伝導された熱の一部は、伝熱部材１０と溝部９１の内側との接触面を介して補強部材９に伝導される。このように補強部材９に伝導された熱は、空気と接する補強部材９の外側表面を介して空気中に放散される。また、伝熱部材１０に伝導された熱の他部は、伝熱部材１０の内側表面を介して、空洞１００Ａに流れる空気中に放散される。
【００３６】
（実施の形態２）
図７は実施の形態２の液晶テレビジョンにおいて、バックライトが発する熱の放熱を、伝熱部材１０を中心に示す説明図である。図中、外部から伝熱部材１０に伝導される熱を太い矢印にて表示し、伝熱部材１０から外部に伝導される熱を細い矢印にて表示している。実施の形態２に係る液晶テレビジョンにおいて、補強部材９は、鍔部９２，９２が筺体１２ａの後壁１２ｂと接触するように、後壁１２ｂに取り付けられており、補強部材９の溝部９１の内側には伝熱部材１０が後壁１２ｂと接触しないように嵌め込まれている。伝熱部材１０は、例えば銅、アルミニウム等の高い熱伝導性を有する材料からなる。また、伝熱部材１０は溝部９１，９１に倣う外郭形状を有する四角筒体であり、長手方向に貫通する横断面視で矩形の空洞１００Ａを内側に有している。つまり、伝熱部材１０の４つの外側面のうち３つの外側面は溝部９１，９１の内側（又は補強部材９，９）と密接している。残り１つの外側面は筺体１２ａの後壁１２ｂから離れており、前記残り１つの外側面と後壁１２ｂとの間には隙間１００Ｂが形成されている。また、伝熱部材１０の内側の空洞１００Ａには空気が流れるように構成されている。
【００３７】
以下、本発明の実施の形態２に係る放熱構造及び表示装置における放熱方法を、液晶テレビジョンの光源たるバックライトが熱を発する場合を例として説明する。バックライトが熱を発した場合、該熱はバックライト部１２の筺体１２ａ（後壁１２ｂ）に伝導される。筺体１２ａに伝導された熱は後壁１２ｂを介して、後壁１２ｂの接触している補強部材９の鍔部９２，９２に伝導される。このように鍔部９２，９２即ち補強部材９に伝導された熱の一部は空気と接する補強部材９の外側表面を介して空気中に放散される。一方、補強部材９に伝導された熱の他部は、溝部９１の内側と伝熱部材１０との接触面を介して伝熱部材１０に伝導される。伝熱部材１０に伝導された熱の一部は、伝熱部材１０の内側表面を介して、空洞１００Ａに流れる空気中に放散される。また、伝熱部材１０に伝導された熱の他部は、伝熱部材１０と後壁１２ｂとの間の隙間１００Ｂに流れる空気中に放散される。
【００３８】
その他の構成は実施の形態１と同様であり、対応する部分には同一の参照番号を付してその詳細な説明を省略する。
【００３９】
実施の形態１及び２においては、伝熱部材１０が横断面視で矩形の空洞１００Ａを内側に有す四角筒体である場合を例として説明したが、これに限るものでなく、例えば、前記空洞１００Ａはハニカム形状であっても良い。
【００４０】
（実施の形態３）
図８は実施の形態３の液晶テレビジョンにおいて、バックライトが発する熱の放熱を、伝熱部材１０を中心に示す説明図である。図中、外部から伝熱部材１０に伝導される熱を太い矢印にて表示し、伝熱部材１０から外部に伝導される熱を細い矢印にて表示している。実施の形態３に係る液晶テレビジョンにおいて、伝熱部材１０はシート状であり、例えば銅、アルミニウム等の高い熱伝導性を有する材料からなる。補強部材９は、鍔部９２，９２が伝熱部材１０と接触するように、伝熱部材１０を挟んで筺体１２ａの後壁１２ｂに取り付けられている。つまり、伝熱部材１０は一面が筺体１２ａの後壁１２ｂと接触しており、他面が補強部材９の鍔部９２，９２と接触している。従って、溝部９１によって、伝熱部材１０と補強部材９との間には空洞１００Ｃが形成されており、空洞１００Ｃには空気が流れるように構成されている。
【００４１】
以下、本発明の実施の形態３に係る放熱構造及び表示装置における放熱方法を、液晶テレビジョンの光源たるバックライトが熱を発する場合を例として説明する。バックライトが熱を発した場合、該熱はバックライト部１２の筺体１２ａ（後壁１２ｂ）に伝導される。筺体１２ａに伝導された熱は後壁１２ｂを介して、後壁１２ｂと接触している伝熱部材１０に伝導される。伝熱部材１０に伝導された熱の一部は、伝熱部材１０と補強部材９の鍔部９２，９２との接触面を介して補強部材９に伝導される。このように補強部材９に伝導された熱は、空気と接する補強部材９の外側表面を介して空気中に放散される。また、補強部材９に伝導された熱の他部は、空洞１００Ｃ側の補強部材９の内側表面を介して、空洞１００Ｃに流れる空気中に放散される。さらに、伝熱部材１０に伝導された熱の他部も、空洞１００Ｃに流れる空気中に放散される。
【００４２】
その他の構成は実施の形態１と同様であり、対応する部分には同一の参照番号を付してその詳細な説明を省略する。
【００４３】
（実施の形態４）
図９は実施の形態４の液晶テレビジョンにおいて、バックライトが発する熱の放熱を、伝熱部材１０を中心に示す説明図である。図中、外部から伝熱部材１０に伝導される熱を太い矢印にて表示し、伝熱部材１０から外部に伝導される熱を細い矢印にて表示している。実施の形態４に係る液晶テレビジョンにおいて、補強部材９は、鍔部９２，９２が筺体１２ａの後壁１２ｂと接触するように、筺体１２ａの後壁１２ｂに取り付けられている。補強部材９は、後壁１２ｂと接触する一部表面以外の他部表面の殆どが伝熱部材１０により被覆されている。伝熱部材１０は板材であり、例えば銅、アルミニウム等の高い熱伝導性を有する材料からなる。つまり、溝部９１によって、筺体１２ａの後壁１２ｂと補強部材９との間には空洞１００Ｄが形成されており、補強部材９の前記他部表面は伝熱部材１０と接触している。また、空洞１００Ｄには空気が流れるように構成されている。
【００４４】
以下、本発明の実施の形態４に係る放熱構造及び表示装置における放熱方法を、液晶テレビジョンの光源たるバックライトが熱を発する場合を例として説明する。バックライトが熱を発した場合、該熱はバックライト部１２の筺体１２ａ（後壁１２ｂ）に伝導される。筺体１２ａに伝導された熱は後壁１２ｂを介して、後壁１２ｂの接触している補強部材９の鍔部９２，９２に伝導される。このように補強部材９に伝導された熱の一部は、補強部材９の前記他部表面と伝熱部材１０との接触面を介して、伝熱部材１０に伝導される。伝熱部材１０に伝導された熱は、補強部材９と接触していない伝熱部材１０の表面を介して空気中に放散される。また、補強部材９に伝導された熱の他部は、溝部９１の内側表面を介して、空洞１００Ｄに流れる空気中に放散される。
【００４５】
その他の構成は実施の形態１と同様であり、対応する部分には同一の参照番号を付してその詳細な説明を省略する。
【００４６】
（実施の形態５）
図１０は実施の形態５の液晶テレビジョンにおいて、バックライトが発する熱の放熱を、伝熱部材１０を中心に示す説明図である。図中、外部から伝熱部材１０に伝導される熱を太い矢印にて表示し、伝熱部材１０から外部に伝導される熱を細い矢印にて表示している。
【００４７】
実施の形態５に係る液晶テレビジョンにおいて、補強部材９は金属性の板材であり、筺体１２ａの後壁１２ｂに一面が接触する矩形の板状の接触部９４と、接触部９４の幅方向の一方の縁部から垂直に立ち上がる立ち上がり部９５とからなる。接触部９４及び立ち上がり部９５は一体成型されている。
【００４８】
また、実施の形態５に係る液晶テレビジョンは複数の伝熱部材を備えている。接触部９４の他面には伝熱部材１０Ａが設けられており、補強部材９と隣接するように伝熱部材１０Ｂが設けられている。伝熱部材１０Ａ及び伝熱部材１０Ｂはブロック形状を有し、例えば銅、アルミニウム等の高い熱伝導性を有する材料からなる。伝熱部材１０Ａは、一面が接触部９４の他面と接触しており、前記一面と隣り合う他面の中の一つの面が立ち上がり部９５と接触している。また、伝熱部材１０Ｂは、一面が筺体１２ａの後壁１２ｂと接触しており、前記一面と隣り合う他面の中の一つの面が補強部材９と接触している。
【００４９】
以下、本発明の実施の形態５に係る放熱構造及び表示装置における放熱方法を、液晶テレビジョンの光源たるバックライトが熱を発する場合を例として説明する。バックライトが熱を発した場合、該熱はバックライト部１２の筺体１２ａ（後壁１２ｂ）に伝導される。筺体１２ａに伝導された熱は後壁１２ｂを介して、後壁１２ｂに接触している伝熱部材１０Ｂ又は補強部材９の接触部９４に伝導される。伝熱部材１０Ｂに伝導された熱の一部は伝熱部材１０Ｂと補強部材９との接触面を介して補強部材９に伝導され、他部は補強部材９及び後壁１２ｂと接触しない表面を介して空気中に放散される。このように補強部材９に伝導された熱の一部は、接触部９４の前記他面と伝熱部材１０Ａとの接触面を介して伝熱部材１０Ａに伝導される。伝熱部材１０Ａに伝導された熱は、補強部材９と接触しない表面を介して空気中に放散される。一方、補強部材９に伝導された熱の他部は、後壁１２ｂ、伝熱部材１０Ａ及び伝熱部材１０Ｂと接触しない表面を介して空気中に放散される。
【００５０】
その他の構成は実施の形態１と同様であり、対応する部分には同一の参照番号を付してその詳細な説明を省略する。
【図面の簡単な説明】
【００５１】
【図１】本発明に係る液晶テレビジョンの後側のカバーを除去した状態における斜視図である。
【図２】本発明に係る液晶テレビジョンの後側のカバーを除去した状態における拡大平面断面図である。
【図３】本発明に係る液晶テレビジョンの後側のカバーを除去し、一部を取り外して倒した状態における斜視図である。
【図４】実施の形態１の液晶テレビジョンにおいて、補強部材の溝部の内側に伝熱部材が配設された一例を示す例示図である。
【図５】実施の形態１の液晶テレビジョンにおいて、補強部材の近傍の横断面を拡大して示す模式図である。
【図６】実施の形態１の液晶テレビジョンにおいて、バックライトが発する熱の放熱を、伝熱部材を中心に示す説明図である。
【図７】実施の形態２の液晶テレビジョンにおいて、バックライトが発する熱の放熱を、伝熱部材を中心に示す説明図である。
【図８】実施の形態３の液晶テレビジョンにおいて、バックライトが発する熱の放熱を、伝熱部材を中心に示す説明図である。
【図９】実施の形態４の液晶テレビジョンにおいて、バックライトが発する熱の放熱を、伝熱部材を中心に示す説明図である。
【図１０】実施の形態５の液晶テレビジョンにおいて、バックライトが発する熱の放熱を、伝熱部材を中心に示す説明図である。
【符号の説明】
【００５２】
１  表示部
９  補強部材
１０  伝熱部材
１１ａ  パネル（表示パネル）
１１ｂ  光学シート
１２  バックライト部
１２ａ  筺体（受熱部材、保持部材）
９１  溝部
【図１】
2009224207.tif 000003
【図２】
2009224207.tif 000004
【図３】
2009224207.tif 000005
【図４】
2009224207.tif 000006
【図５】
2009224207.tif 000007
【図６】
2009224207.tif 000008
【図７】
2009224207.tif 000009
【図８】
2009224207.tif 000010
【図９】
2009224207.tif 000011
【図１０】
2009224207.tif 000012